(57)【要約】【課題】制御対象の直流機器を自由に選択したり、交換したりすることが可能な引掛シーリングを提供する。【解決手段】引掛シーリング１は、施工面側からの直流供給線路Ｗｄｃが接続される端子部２ａと、送り配線用の端子部２ｂと、直流機器１０２が備える引掛キャップに設けた引掛栓刃と引掛係止する引掛栓刃受部２２を具備して、引掛キャップが着脱自在に接続される引掛接続部３と、端子部２ａ，２ｂと引掛接続部３との間を接続する電路の途中に設けられたスイッチ４と、端子部２ａ，２ｂを介して入力される直流電圧に高周波の伝送信号を重畳又は分離することによって外部との間でＤＬＣ通信を行うＤＬＣ通信部５と、外部より受信した伝送信号に含まれる制御信号に基づいてスイッチ４のオン／オフを制御する給電制御部６とを備える。【選択図】図１
2009158298.tif 000002
【特許請求の範囲】
【請求項１】
直流電力の供給を受けて動作する直流機器の引掛キャップが着脱自在に接続され、外部から供給された直流電力を引掛キャップを介して直流機器に供給する引掛シーリングであって、
施工面に露設され施工面側とは異なる面にそれぞれ弧状に開口する複数個の引掛栓刃挿入口を有した器体と、
器体に設けられ施工面側から直流電源の給電線が接続される複数個の端子と、
各引掛栓刃挿入口に対応する部位で器体内にそれぞれ配設され引掛栓刃挿入口の一端部から挿入された引掛キャップの引掛栓刃が引掛栓刃挿入口の他端部に移動したときに引掛栓刃を引掛保持する複数個の引掛栓刃受部と、
器体内に設けられ複数個の端子を介して入力される直流電圧に伝送信号を重畳させることによって外部との間で通信を行う通信部と、
器体内に設けられ、通信部が受信した伝送信号に含まれる制御信号に基づいて、複数個の端子と複数個の引掛栓刃受部との間を接続する電路に設けた接点をオン／オフする給電制御部とを備えたことを特徴とする引掛シーリング。
【請求項２】
個別のアドレスを設定するアドレス設定部を備え、前記給電制御部は、前記通信部が受信した伝送信号に含まれるアドレスが、アドレス設定部により設定された自己のアドレスと一致した場合に、前記伝送信号に含まれる制御信号に基づいて前記接点をオン／オフすることを特徴とする請求項１記載の引掛シーリング。
【請求項３】
前記アドレス設定部が、外部のアドレス設定器からワイヤレス信号で送信されたアドレスを受信するアドレス受信部と、アドレス受信部により受信されたアドレスを記憶するアドレス記憶部とを備えたことを特徴とする請求項２記載の引掛シーリング。
【発明の詳細な説明】
【技術分野】
【０００１】
本発明は、引掛シーリングに関するものである。
【背景技術】
【０００２】
従来、天井面等の施工面に取り付けられるとともに、照明器具の引掛キャップが着脱自在に接続され、引掛キャップを介して照明器具に交流電源を供給する引掛シーリングが提供されている（例えば特許文献１参照）。
【０００３】
この引掛シーリングは施工面に露設される器体を備え、器体の室内側の面には弧状に開口する複数個の引掛栓刃挿入口が形成されている。また器体には施工面側からの電線が接続される複数個の端子が設けられるとともに、器体内部の各引掛栓刃挿入口に対応する部位には、端子に各別に電気的に接続され、引掛栓刃挿入口の一端部から挿入された引掛キャップの引掛栓刃が引掛栓刃挿入口の他端部に移動したときに引掛栓刃を引掛保持する引掛栓刃受部が収納されている。
【０００４】
この引掛シーリングでは照明器具に電源を供給しているだけなので、引掛シーリングに接続される照明器具の動作を遠隔から制御するためには、遠隔に設置された制御装置との間で通信を行う機能を備えた専用の照明器具を用い、この照明器具に対して電源用配線とは別に制御用配線を接続し、制御用配線を介して入力された制御信号に基づいて照明器具の動作を制御するようになっていた。
【特許文献１】特開２００１−３５５８５号公報
【特許文献２】特公平７−５４７５１号公報
【発明の開示】
【発明が解決しようとする課題】
【０００５】
上述のように引掛シーリングに接続される照明器具の動作を制御するためには、電源用配線とは別に情報用配線を配線する必要があり、配線が複雑になっていた。また、制御装置との間の通信機能や制御機能を備えた専用の照明器具を用い、この照明器具に対して電源用配線や制御用配線を接続して制御システムを構築する必要があるので、ユーザが制御したい機器を自由に選択したり、交換することができないという問題もあった。
【０００６】
本発明は上記問題点に鑑みて為されたものであり、その目的とするところは、制御対象の直流機器を自由に選択したり、交換したりすることが可能な引掛シーリングを提供することにある。
【課題を解決するための手段】
【０００７】
上記目的を達成するために、請求項１の発明は、直流電力の供給を受けて動作する直流機器の引掛キャップが着脱自在に接続され、外部から供給された直流電力を引掛キャップを介して直流機器に供給する引掛シーリングであって、施工面に露設され施工面側とは異なる面にそれぞれ弧状に開口する複数個の引掛栓刃挿入口を有した器体と、器体に設けられ施工面側から直流電源の給電線が接続される複数個の端子と、各引掛栓刃挿入口に対応する部位で器体内にそれぞれ配設され引掛栓刃挿入口の一端部から挿入された引掛キャップの引掛栓刃が引掛栓刃挿入口の他端部に移動したときに引掛栓刃を引掛保持する複数個の引掛栓刃受部と、器体内に設けられ複数個の端子を介して入力される直流電圧に伝送信号を重畳させることによって外部との間で通信を行う通信部と、器体内に設けられ、通信部が受信した伝送信号に含まれる制御信号に基づいて、複数個の端子と複数個の引掛栓刃受部との間を接続する電路に設けた接点をオン／オフする給電制御部とを備えたことを特徴とする。
【０００８】
請求項２の発明は、請求項１の発明において、個別のアドレスを設定するアドレス設定部を備え、給電制御部は、通信部が受信した伝送信号に含まれるアドレスが、アドレス設定部により設定された自己のアドレスと一致した場合に、伝送信号に含まれる制御信号に基づいて接点をオン／オフすることを特徴とする。
【０００９】
請求項３の発明は、請求項２の発明において、
アドレス設定部が、外部のアドレス設定器からワイヤレス信号で送信されたアドレスを受信するアドレス受信部と、アドレス受信部により受信されたアドレスを記憶するアドレス記憶部とを備えたことを特徴とする。
【発明の効果】
【００１０】
請求項１の発明によれば、施工面側からの給電線により供給される直流電圧に重畳させて外部より伝送信号が送信されると、通信部が直流電圧に重畳された伝送信号を受信し、この伝送信号に含まれる制御信号に基づいて給電制御部が引掛栓刃受部への給電をオン／オフしているので、直流電圧に重畳された伝送信号に含まれる制御信号によって直流機器への給電をオン／オフすることができる。したがって、引掛シーリングの端子には直流電源の給電線のみを接続すれば良く、伝送信号を伝送するための配線を給電線とは別に配線する必要がないから、省配線や省施工を実現することができる。さらに直流機器を制御するために、給電線と制御用配線とを引掛シーリングとスイッチとの間に予め配線して、制御システムを構築しておく必要がないから、遠隔制御したい照明器具などの直流機器を自由に選択したり、交換したりすることができるという効果もある。
【００１１】
請求項２の発明によれば、直流電源の給電線に複数の引掛シーリングが接続される場合にも、アドレス設定部により設定されたアドレスを用いて各引掛シーリングを個別に識別することができ、各引掛シーリングに接続される電気機器への給電を個別にオン／オフすることができる。
【００１２】
請求項３の発明によれば、アドレス受信部が、外部のアドレス設定器からワイヤレス信号で送信されたアドレスを受信すると、受信したアドレスをアドレス記憶部に記憶させているので、アドレス設定器を用いて離れた場所からアドレスの設定作業が行えるという効果がある。
【発明を実施するための最良の形態】
【００１３】
以下に本発明の実施の形態を図面に基づいて説明する。
【００１４】
（実施形態１）
本発明の実施形態１を図１〜図４に基づいて説明する。本実施形態の引掛シーリングは施工面としての天井面に設置されるものであり、直流電力の供給を受けて動作する直流機器の引掛キャップが着脱自在に接続され、当該引掛キャップを介して直流機器へ直流電源を供給するものである。
【００１５】
図１（ａ）は本実施形態の引掛シーリング１を用いた制御システムの要部を示した概略のシステム構成図であり、住宅内に設置された分電盤１１０内の直流ブレーカ１１４から分岐した直流供給線路Ｗｄｃに引掛シーリング１と、引掛シーリング１に接続される照明器具のような直流機器１０２を点灯又は消灯させるための直流スイッチ５０とが接続されている。
【００１６】
引掛シーリング１は、図１（ｂ）に示すように施工面側からの直流供給線路Ｗｄｃ（直流電源の給電線）が接続される端子部２ａと、送り配線用の端子部２ｂと、直流機器１０２が備える引掛キャップに設けた引掛栓刃と引掛係止する引掛栓刃受部２２を具備して、引掛キャップが着脱自在に接続される引掛接続部３と、リレー接点あるいは半導体スイッチからなり、端子部２ａ，２ｂと引掛接続部３との間を接続する電路の途中に設けられたスイッチ４と、端子部２ａ，２ｂを介して入力される直流電圧に高周波の伝送信号を重畳又は分離することによって外部との間でＤＬＣ通信を行うＤＬＣ通信部５と、外部より受信した伝送信号に含まれる制御信号に基づいてスイッチ４のオン／オフを制御する給電制御部６とを備えている。なお本実施形態では、端子部２ａ，２ｂが備える複数の端子と、引掛接続部３が備える複数の引掛栓刃受部２２との間を接続する複数の電路の一部のみにスイッチ４を設けているが、全ての電路にスイッチを設けてもよい。
【００１７】
また直流スイッチ５０は壁面のような造営面に配設され、図１（ｂ）に示すように直流供給線路Ｗｄｃが接続される端子部５１ａと、送り配線用の端子部５１ｂと、端子部５１ａ，５１ｂを介して入力される直流電圧に高周波の伝送信号を重畳又は分離することによって外部との間でＤＬＣ通信を行うＤＬＣ通信部５２と、対応する直流機器１０２のオン／オフ操作を行うための操作部５３と、前面から発光状態が視認可能に設けられた発光ダイオードを有し、対応する直流機器１０２のオン／オフ状態を発光ダイオードの点灯状態で表示するＯＮ／ＯＦＦ表示部５４と、各部の全般的な制御を行う制御部５５とを備えている。
【００１８】
次に直流スイッチ５０による直流機器１０２のオン／オフ操作について説明する。照明系の直流機器１０２が消灯している状態では、直流スイッチ５０の制御部５５が、対応する引掛シーリング１から受信した監視信号に基づいて、ＯＮ／ＯＦＦ表示部５４を点灯させることによって、直流機器１０２のオフ表示を行うとともに、直流スイッチ５０の位置表示を行っている。この状態において直流スイッチ５０の操作部５３によりオン操作が行われると、操作部５３から制御部５５にオン操作信号が出力される。制御部５５では、操作部５３からオン操作信号が入力されると、直流機器１０２を点灯させる制御信号を含めた伝送信号をＤＬＣ通信部５２から対応する引掛シーリング１に送信させる。このとき、直流スイッチ５０と予め対応関係が設定された引掛シーリング１では、ＤＬＣ通信部５が伝送信号に含まれる制御信号を受信し、この制御信号に基づいて給電制御部６がスイッチ４を閉極させているので、引掛シーリング１から直流機器１０２に直流電力が供給され、照明系の直流機器１０２が点灯する。また給電制御部６は、スイッチ４を閉極させると同時に、スイッチ４の閉極状態を報知するための監視信号をＤＬＣ通信部５から対応する直流スイッチ５０に送信させる。そして、直流スイッチ５０のＤＬＣ通信部５２が制御対象の引掛シーリング１から返送された伝送信号を受信すると、制御部５５が、伝送信号に含まれる監視信号に基づいてＯＮ／ＯＦＦ表示部５４を消灯させており、ＯＮ／ＯＦＦ表示部５４の消灯状態により直流機器１０２の点灯状態を表示する。
【００１９】
一方、照明系の直流機器１０２が点灯している状態で直流スイッチ５０の操作部５３によりオフ操作が行われると、操作部５３から制御部５５にオフ操作信号が出力される。制御部５５では、操作部５３からオフ操作信号が入力されると、直流機器１０２を消灯させる制御信号を含めた伝送信号をＤＬＣ通信部５２から対応する引掛シーリング１に送信させる。このとき、直流スイッチ５０と予め対応関係が設定された引掛シーリング１では、ＤＬＣ通信部５が伝送信号に含まれる制御信号を受信し、この制御信号に基づいて給電制御部６がスイッチ４を開極させているので、引掛シーリング１から直流機器１０２への電力供給が遮断され、照明系の直流機器１０２が消灯する。また給電制御部６は、スイッチ４を開極させると同時に、スイッチ４の開極状態を報知するための監視信号をＤＬＣ通信部５から対応する直流スイッチ５０に送信させる。そして、直流スイッチ５０のＤＬＣ通信部５２が制御対象の引掛シーリング１から返送された伝送信号を受信すると、制御部５５が、伝送信号に含まれる監視信号に基づいてＯＮ／ＯＦＦ表示部５４を点灯させており、ＯＮ／ＯＦＦ表示部５４の点灯状態により直流機器１０２の消灯状態を表示する。
【００２０】
以上説明したように、本実施形態の引掛シーリング１では、施工面側からの直流供給線路Ｗｄｃにより供給される直流電圧に重畳させて外部より伝送信号が送信されると、ＤＬＣ通信部５が直流電圧に重畳された伝送信号を受信し、この伝送信号に含まれる制御信号に基づいて給電制御部６が引掛栓刃受部２２，２２への給電をオン／オフしているので、直流電圧に重畳された伝送信号に含まれる制御信号によって、引掛接続部３に接続される直流機器１０２への給電をオン／オフすることができる。また本実施形態では引掛シーリング１の端子部２ａ，２ｂに直流供給線路Ｗｄｃのみを接続すれば良く、伝送信号を伝送するための配線を直流供給線路Ｗｄｃとは別に配線する必要がないから、省配線や省施工を実現することができる。さらに、本実施形態の引掛シーリング１に直流機器１０２を接続すれば、引掛シーリング１から直流機器１０２への給電をオン／オフすることによって、直流機器１０２のオン／オフを制御することができる。したがって、制御対象の直流機器１０２が通信機能などを備えた専用の機器に限定されるものではなく、制御対象の直流機器１０２を自由に選択したり、交換したりすることができる。
【００２１】
ところで、本実施形態の引掛シーリング１は、図２および図３に示すように上面が開口した有底円筒状であって、上面を天井面に当接させた形で施工される器体１１と、器体１１の上面側から器体１１内に挿入される円板状の端子カバー１２とを備える。器体１１および端子カバー１２は熱硬化性樹脂であるメラミンフェノール樹脂ないしポリエステル樹脂の成形品であって難燃性を有している。
【００２２】
器体１１と端子カバー１２とは、タッピンねじである組立ねじ１３により結合される。端子カバー１２の周部の２箇所には切欠１２ａが形成され、器体１１の周部内側面に設けた筒部１１ａに切欠１２ａが嵌合することによって器体１１と端子カバー１２とが位置決めされるようになっている。
【００２３】
器体１１の底壁内側面には一対の立壁１４が突設され、立壁１４の上に端子カバー１２を載置した状態で端子カバー１２を通して組立ねじ１３を立壁１４の穴１４ａにねじ込むことにより器体１１と端子カバー１２とが結合される。ここで、立壁１４の上に端子カバー１２を載置したときに、器体１１の上面よりも端子カバー１２の上面のほうが下方に位置するように、器体１１と端子カバー１２と立壁１４との寸法関係が設定されている。
【００２４】
器体１１の周壁内周面の２箇所には筒部１１ａが形成され、筒部１１ａには器体１１を上下に貫通する挿入孔１５が形成されている。挿入孔１５には器体１１の下面側から固定ねじ（図示せず）が挿入され、この固定ねじの上端部を天井面に螺入することによって、器体１１を天井面に固定することができる。
【００２５】
器体１１の内部は、器体１１底壁内側面に突設された仕切壁１６によって２分されている。仕切壁１６の長手方向中央部には受け片１６ａが両側方へ向かって突設されるとともに、仕切壁１６の長手方向両端部に支持リブ１６ｂが両側方へ向かって突設されている。さらに、器体１１の底壁内側面には支持リブ１６ｂに対して仕切壁１６の反対側に突台１８が突設されている。
【００２６】
器体１１の内部は仕切壁１６によって２つの収納室に仕切られており、各収納室１７に対応する部位において器体１１の底壁の周部には図３に示す引掛キャップ４０の引掛栓刃４１、４１が挿入されるほぼ円弧状の引掛栓刃挿入口１９、１９がそれぞれ１個ずつ開口している。両引掛栓刃挿入口１９，１９は、器体１１の底壁の中心を中心とする円周上に形成されている。各引掛栓刃挿入口１９は、図３に示す向きにおいて引掛キャップ４０を左回りに回転させたときの一端側に、他の部位よりも幅広の幅広部１９ａを備えている。尚、幅広部１９ａは他の部位である幅狭部１９ｂに対して、内向きに突出する形で引掛栓刃挿入口１９の幅を広げている。そして、側面視Ｌ字形に形成された引掛栓刃４１を引掛栓刃挿入口１９に挿入する際には、引掛栓刃４１を先ず幅広部１９ａから引掛栓刃挿入口１９に挿入した後、図３における右回りに回転させ、引掛栓刃４１の先端部を引掛栓刃挿入口１９の幅狭部１９ｂの周縁に重複させる。引掛栓刃挿入口１９の幅狭部１９ｂには引掛栓刃受部２２が対応して設けられている。ここにおいて引掛栓刃挿入口１９と引掛栓刃受部２２とで上述の引掛接続部３が構成され、引掛栓刃挿入口１９，１９の形状および寸法は交流電源用の引掛シーリングとは異なる形状および寸法に設定されている。また引掛栓刃挿入口１９，１９の一方は正極用、他方は負極用であり、極性を誤って引掛栓刃が挿入されないように、正極用の引掛栓刃挿入口１９と負極用の引掛栓刃挿入口１９とは、底壁の中心に対して非対称な形状に形成することが好ましく、また引掛栓刃４１も引掛栓刃挿入口１９の形状に合わせて正極用と負極用とで非対称な形状に形成することが好ましい。
【００２７】
引掛栓刃受部２２は板金により形成されたものであり、引掛栓刃４１の先端部を挟持する刃受ばね２２ａを有し、この刃受ばね２２ａが引掛栓刃挿入口１９に沿って配置されている。また刃受ばね２２ａにおいて引掛栓刃挿入口１９の幅広部１９ａに臨む先部は、引掛栓刃４１が刃受ばね２２ａに乗り上げ易くするために、先端側から登り傾斜面となっている。而して引掛栓刃４１の先端部が幅狭部１９ｂに導入されると、引掛栓刃４１の先端部が刃受ばね２２ａの上り傾斜面に乗り上げ、刃受ばね２２ａによって引掛保持されるのである。なお引掛栓刃受部２２において刃受ばね２２ａの先端部より延長される部位は器体１１の底面との間で隙間があり、引掛栓刃４１の先端部と、引掛キャップ４０のボディとの間に刃受ばね２２ａと器体１１の底壁とが介在する際に刃受ばね２２ａの上向きばね弾性に抗しながら引掛栓刃４１の先端部が刃受ばね２２ａに弾接するようになっている。
【００２８】
また器体１１の各収納室には、施工面側から直流電源の給電線が接続される一対の端子金具２０が収納されている。端子金具２０は板金により形成されたものであり、器体１１の底壁内側面に立設された形で配置される。なお端子金具２０は、支持リブ１６ｂに当接する一対の端子板２０ａと、両端子板２０ａの片側縁間を連結する連結片２０ｂとによりコ字形に形成されている。そして、各収納室において受け片１６ａと端子板２０ａとの間には鎖錠ばね３２が配設される。鎖錠ばね３２は帯板の一端部をＳ字状に屈曲させて接触片３２ａを形成し、他端部をＪ字状に屈曲させて鎖錠片３２ｂを形成したものを用いてあり、接触片３２ａと鎖錠片３２ｂとが端子板２０ａに対向するように配置される。
【００２９】
ここで、施工面側からの電源線（直流電源の給電線）を端子部２ａに接続する際に、端子カバー１２に形成した電線挿入口３３を通して鎖錠片３２ｂ側から電源線を導入すれば、接触片３２ａおよび鎖錠片３２ｂと端子板２０ａとの間に電源線の芯線を挟持することができ、このとき接触片３２ａが電源線の芯線に接触して電気的接続状態を確保し、鎖錠片３２ｂの先端縁が電源線の芯線に食い込んで電源線を抜けないように保持する。ここにおいて端子金具２０と鎖錠ばね３２とを用いたいわゆる速結端子構造の端子により上述の端子部２ａ，２ｂが構成される。
【００３０】
ところで、端子板２０ａと鎖錠ばね３２とを用いて保持した電源線を取り外すために、器体１１内には解除釦３１が配置される。解除釦３１は、端子カバー１２に設けた切欠よりなる操作用開口部１２ｂと突台１８の中央台１８ａとの間に露出する操作部３１ａを備え、操作部３１ａの両端部には一対の鎖錠ばね３２の鎖錠片３２ｂの一部にそれぞれ当接する一対の押圧片３１ｂを備えている。すなわち、解除釦３１は仕切壁１６の両側に位置する一対の押圧片３１ｂを操作部３１ａを介して連続一体に連結した形状に形成され、押圧片３１ｂの先端部は鎖錠片３２ｂに当接する。また、押圧片３１ｂは端子金具２０に設けた挿入用切欠２０ｃを通して進退する。
【００３１】
而して、電源線を保持した状態で、操作用開口部１２ｂと中央台１８ａとに囲まれた部位にマイナスドライバ等の治具の先端部などを挿入し、操作部３１ａを押せば、押圧片３１ｂが一対の鎖錠片３２ｂを端子板２０ａから引き離す向きに撓ませるから、鎖錠片３２ｂが電源線から外れ、電源線をそのまま引き抜くことができる。ここで、解除釦３１は両端子金具２０に跨がる形で配置されており、異極の２個の鎖錠ばね３２の鎖錠片３２ｂを同時に撓ませるから、１個の解除釦３１で２本の電源線を同時に外すことが可能であり、操作性がよい。
【００３２】
また器体１１には両収納室に跨る形で、図１（ｂ）に示すスイッチ４、ＤＬＣ通信部５および給電制御部６などの回路が形成されたプリント配線板（図示せず）を収納してあり、プリント配線板には端子金具２０と引掛栓刃受部２２とが半田付けされている。
【００３３】
ところで、上述した本実施形態の引掛シーリング１は、天井面に器体１１の上面を当接させた形で挿入孔１５を通して天井面に螺入する固定ねじ（図示せず）を用いて固定されるのであって、天井面に電源線を通すための通し孔を形成するだけで容易に施工設置することができる。なお図２および図３に示した引掛シーリング１は、器体１１の上面を天井面に当接させた状態で施工される露出型のものであるが、図４に示すように天井面に設けた埋込孔（図示せず）に器体１１の上部を埋設した状態で施工される埋込型のものでも良い。
【００３４】
（実施形態２）
本発明の実施形態２を図５および図６に基づいて説明する。本実施形態では、実施形態１で説明した引掛シーリング１および直流スイッチ５０に個別のアドレスを設定しており、直流スイッチ５０の操作に応じて、対応するアドレスの引掛シーリング１に接続された直流機器１０２をオン／オフするようになっている。尚、実施形態１と共通する構成要素には同一の符号を付してその説明は省略する。
【００３５】
図５（ａ）は本実施形態の引掛シーリング１を用いた制御システムの概略的なシステム構成図であり、直流供給線路Ｗｄｃには２台の引掛シーリング１Ａ，１Ｂと、３台の直流スイッチ５０Ａ，５０Ｂ，５０Ｃが接続されている。なお以下の説明では、直流スイッチ５０Ａ，５０Ｂ，５０Ｃに共通する説明を行うときはスイッチ５０と記述し、個々のスイッチについて説明するときはスイッチ５０Ａ，５０Ｂ，５０Ｃと記述する。
【００３６】
引掛シーリング１は、図５（ｂ）に示すように施工面側からの直流供給線路Ｗｄｃ（直流電源の給電線）が接続される端子部２ａと、送り配線用の端子部２ｂと、直流機器１０２の引掛キャップが着脱自在に接続される引掛接続部３と、リレー接点あるいは半導体スイッチからなり、端子部２ａ，２ｂと引掛接続部３との間を接続する電路の途中に設けられたスイッチ４と、端子部２ａ，２ｂを介して入力される直流電圧に高周波の伝送信号を重畳又は分離することによって外部との間でＤＬＣ通信を行うＤＬＣ通信部５と、外部より受信した伝送信号に含まれる制御信号に基づいてスイッチ４のオン／オフを制御する給電制御部６と、自己のアドレスを設定するためのアドレス設定部７とを備える。ここで、本実施形態ではアドレス設定部７として図６に示すような複数ビット（例えば６ビット）のディップスイッチ７ａを用いており、ディップスイッチ７ａは図６（ａ）（ｂ）に示すように器体１１の下面に露設されている。なお引掛シーリング１Ａのアドレス設定部７には固有のアドレスとして「１」が、引掛シーリング１Ｂのアドレス設定部７には固有のアドレスとして「２」が設定されているものとする。
【００３７】
また直流スイッチ５０は、図５（ｂ）に示すように直流供給線路Ｗｄｃが接続される端子部５１ａと、送り配線用の端子部５１ｂと、端子部５１ａ，５１ｂを介して入力される直流電圧に高周波の伝送信号を重畳又は分離することによって外部との間でＤＬＣ通信を行うＤＬＣ通信部５２と、対応する直流機器１０２のオン／オフ操作を行うための操作部５３と、前面から発光状態が視認可能に設けられた発光ダイオードを有し、対応する直流機器１０２のオン／オフ状態を発光ダイオードの点灯状態で表示するＯＮ／ＯＦＦ表示部５４と、各部の全般的な制御を行う制御部５５と、自己のアドレスや制御対象の引掛シーリング１のアドレスを設定するためのアドレス設定部５６とを備えている。なお直流スイッチ５０Ａのアドレス設定部５６には、制御対象のアドレスとして引掛シーリング１Ａのアドレス「１」が設定され、直流スイッチ５０Ｂのアドレス設定部５６には、制御対象のアドレスとして引掛シーリング１Ｂのアドレス「２」が設定されている。また直流スイッチ５０Ｃのアドレス設定部５６には、制御対象のアドレスとして引掛シーリング１Ａのアドレス「１」と、引掛シーリング１Ｂのアドレス「２」との２つのアドレスが設定されているものとする。
【００３８】
ここで、引掛シーリング１Ａ，１Ｂに接続された照明系の直流機器１０２，１０２が消灯している状態では、各直流スイッチ５０Ａ〜５０Ｃの制御部５５が、対応する引掛シーリング１Ａ，１Ｂから受信した監視信号に基づいて、ＯＮ／ＯＦＦ表示部５４を点灯させることによって、直流機器１０２，１０２のオフ表示を行うとともに、直流スイッチ５０Ａ〜５０Ｃの位置表示を行っている。この状態において直流スイッチ５０Ａの操作部５３によりオン操作が行われると、操作部５３から制御部５５にオン操作信号が出力される。制御部５５では、操作部５３からオン操作信号が入力されると、アドレス設定部５６に設定された制御対象の引掛シーリング１Ａのアドレスと、当該引掛シーリング１Ａに接続された直流機器１０２を点灯させるための制御信号とを含めた伝送信号をＤＬＣ通信部５２から直流供給線路Ｗｄｃに送信させる。引掛シーリング１Ａ，１Ｂでは、ＤＬＣ通信部５が直流供給線路Ｗｄｃを介して送信された伝送信号を受信すると、給電制御部６が、ＤＬＣ通信部５の受信した伝送信号に含まれるアドレスと、アドレス設定部７に設定された自己のアドレスとを比較しており、両者が一致しなければ上記伝送信号は破棄し、両者が一致した場合のみ上記伝送信号に含まれる制御信号に基づいてスイッチ４を閉極させ、照明系の直流機器１０２を点灯させる。また給電制御部６は、スイッチ４を閉極させると同時に、スイッチ４の閉極状態を報知するための監視信号と自己のアドレスとを含めた伝送信号をＤＬＣ通信部５から直流供給線路Ｗｄｃに送出させる。その後、直流スイッチ５０Ａ〜５０ＣのＤＬＣ通信部５２が直流供給線路Ｗｄｃを介して送信された伝送信号を受信すると、制御部５５が、ＤＬＣ通信部５２の受信した伝送信号に含まれるアドレスと、アドレス設定部５６に設定された制御対象の引掛シーリング１のアドレスとを比較し、両者が一致しなければ伝送信号を破棄し、両者が一致すると、制御部５５が、伝送信号に含まれる監視信号に基づいてＯＮ／ＯＦＦ表示部５４を消灯させており、ＯＮ／ＯＦＦ表示部５４の消灯状態により直流機器１０２の点灯状態を表示することができる。
【００３９】
一方、引掛シーリング１Ａに接続された直流機器１０２が点灯している状態で、対応する直流スイッチ５０Ａの操作部５３によりオフ操作が行われると、操作部５３から制御部５５にオフ操作信号が出力される。直流スイッチ５０Ａの制御部５５では、操作部５３からオフ操作信号が入力されると、アドレス設定部５６に設定された引掛シーリング１Ａのアドレスと、直流機器１０２を消灯させる制御信号とを含めた伝送信号をＤＬＣ通信部５２から直流供給線路Ｗｄｃに送信させる。引掛シーリング１Ａ，１Ｂでは、ＤＬＣ通信部５が直流供給線路Ｗｄｃを介して送信された伝送信号を受信すると、給電制御部６が、ＤＬＣ通信部５の受信した伝送信号に含まれるアドレスと自己のアドレスとを比較しており、両者が一致しなければ上記伝送信号は破棄し、両者が一致した場合のみ上記伝送信号に含まれる制御信号に基づいてスイッチ４を開極させ、照明系の直流機器１０２を消灯させる。また給電制御部６は、スイッチ４を開極させると同時に、スイッチ４の開極状態を報知するための監視信号と自己のアドレスとを含めた伝送信号をＤＬＣ通信部５から直流供給線路Ｗｄｃに送出させる。その後、直流スイッチ５０Ａ〜５０ＣのＤＬＣ通信部５２が直流供給線路Ｗｄｃを介して送信された伝送信号を受信すると、制御部５５が、ＤＬＣ通信部５２の受信した伝送信号に含まれるアドレスと、アドレス設定部５６に設定された制御対象の引掛シーリング１のアドレスとを比較し、両者が一致しなければ伝送信号を破棄し、両者が一致すると、制御部５５が、伝送信号に含まれる監視信号に基づいてＯＮ／ＯＦＦ表示部５４を点灯させており、ＯＮ／ＯＦＦ表示部５４の点灯状態により直流機器１０２の消灯状態を表示することができる。
【００４０】
なお直流スイッチ５０Ｂのアドレス設定部５６には制御対象のアドレスとして引掛シーリング１Ｂのアドレス「２」が設定されているので、直流スイッチ５０Ｂの操作部５３がオン／オフ操作されると、上述と同様の処理を経て、引掛シーリング１Ｂに接続された照明系の直流機器１０２が点灯又は消灯される。また直流スイッチ５０Ｃのアドレス設定部５６には制御対象のアドレスとして引掛シーリング１Ａ，１Ｂのアドレス「１」「２」が両方共に設定されており、直流スイッチ５０Ｃの操作部５３がオン／オフ操作されると、直流スイッチ５０Ｃから引掛シーリング１Ａのアドレス「１」と制御信号を含めた伝送信号と、引掛シーリング１Ｂのアドレス「２」と制御信号を含めた伝送信号とが直流供給線路Ｗｄｃに順次送出され、上述と同様の処理を経て、引掛シーリング１Ａ，１Ｂに接続された照明系の直流機器１０２がそれぞれ点灯又は消灯される。
【００４１】
このように本実施形態では、各引掛シーリング１に自己のアドレスを設定するアドレス設定部７を設けるとともに、各直流スイッチ５０に制御対象の引掛シーリング１のアドレスを設定するアドレス設定部５６を設けているので、直流供給線路Ｗｄｃに複数台の引掛シーリング１が接続される場合でも、アドレス設定部７により設定されたアドレスを用いて各引掛シーリング１を個別に識別することができ、各引掛シーリング１に接続される直流機器１０２への給電を個別にオン／オフすることができる。またアドレス設定部７を構成するディップスイッチ７ａは器体１１の下面に配設されているので、器体１１が天井面に施工された後でもアドレスの設定や変更を容易に行うことができる。
【００４２】
（実施形態３）
本発明の実施形態３を図７〜図１０に基づいて説明する。尚、アドレス設定部７以外の引掛シーリング１の構成は上述した実施形態１又は２と同様であるので、共通する構成要素には同一の符号を付してその説明は省略する。
【００４３】
実施形態２で説明した引掛シーリング１では、ディップスイッチ７ａを用いてアドレスの設定を行っているのに対して、本実施形態では図７に示すようにアドレス設定器６０から赤外線信号のようなワイヤレス信号で送信されたアドレスを受信するアドレス受信部７ｂと、アドレス受信部７ｂにより受信されたアドレスを記憶するアドレス記憶部７ｃとを引掛シーリング１に設け、アドレス受信部７ｂとアドレス記憶部７ｃとでアドレス設定部７を構成している。アドレス受信部７ｂは受光部を下方に向けた状態で器体１１内部に収納されており、図８に示すように器体１１の下面には、アドレス設定器６０から送信されたワイヤレス信号をアドレス受信部７ｂの受光部に入射させるための透光窓７ｄが設けられている。なお図１０は露出型の引掛シーリング１の外観斜視図であり、埋込型の引掛シーリング１と同様に、器体１１の下面には透光窓７ｄが設けられている。
【００４４】
アドレス設定器６０は、本実施形態の引掛シーリング１や、所謂遠隔監視制御システムに用いる他の端末器（例えばスイッチなどの入力を監視する監視用端末器、負荷のオン／オフを制御する制御用端末器）にアドレスなどを設定するために用いられるものであって、図７に示すように内蔵する回路要素の全般的な制御を行う演算処理部６１と、アドレスの入力操作やアドレスの送信操作などを行うための入力部６２と、例えば液晶ディスプレイからなり入力部６２により設定されたアドレスの設定内容などを表示する表示部６３と、設定内容を記憶する記憶部６４と、例えば赤外線のようなワイヤレス信号でアドレスの設定値を送信するアドレス送信部６５とを備えている。
【００４５】
図９（ａ）はアドレス設定器６０の外観図を示し、アドレス設定器６０の器体６６は人間の手で把持できる程度の大きさに形成され、器体６６前面の下側部には入力部６２を構成する複数の操作釦が配置されるとともに、器体６６前面の上側部には表示部６３が配置され、器体６６の上端面にはアドレス送信部６５が配置されている。
【００４６】
図９（ｂ）はアドレス設定器６０の表示部６３に表示される設定画面の一例であり、入力部６２を操作して、設定対象の引掛シーリング１のアドレスなどの設定項目を入力した後、送信操作を行うと、設定されたアドレスなどのデータがアドレス送信部６５から送信される。
【００４７】
図８に示すように部屋２０１の天井２０２に設置された引掛シーリング１にアドレスを設定する場合、設定対象の引掛シーリング１の下方で、施工担当者Ａがアドレス設定器６０を用いてアドレスの入力操作を行った後、送信操作を行うと、アドレス設定器６０のアドレス送信部６５からアドレスの設定情報がワイヤレス信号によって送信される。この時、アドレス設定器６０から送信されたワイヤレス信号は、引掛シーリング１の透光窓７ｄを通してアドレス受信部７ｂによって受信され、アドレス記憶部７ｃに記憶されるので、引掛シーリング１にアドレス設定器６０を用いてアドレス設定を行うことができる。このように本実施形態では、引掛シーリング１のアドレス受信部７ｂが、アドレス設定器６０からワイヤレス信号で送信されたアドレスを受信すると、受信したアドレスをアドレス記憶部７ｃに記憶させているので、アドレス設定器６０を用いて離れた場所からアドレスの設定作業を行うことができ、天井２０２に設置される引掛シーリング１にアドレスを設定する作業を容易に行うことができる。
【００４８】
ところで、上述の各実施形態で説明した引掛シーリング１は、以下に示す直流配電システムに用いられるものである。ここでは本発明を適用する建物として戸建て住宅の家屋を想定して説明するが、本発明の技術思想を集合住宅に適用することを妨げるものではない。家屋Ｈには、図１１に示すように、直流電力を出力する直流電力供給部１０１と、直流電力により駆動される負荷としての直流機器１０２とが設けられ、直流電力供給部１０１の出力端部に接続した直流供給線路Ｗｄｃを通して直流機器１０２に直流電力が供給される。直流電力供給部１０１と直流機器１０２との間には、直流供給線路Ｗｄｃに流れる電流を監視し、異常を検知したときに直流供給線路Ｗｄｃ上で直流電力供給部１０１から直流機器１０２への給電を制限ないし遮断する直流ブレーカ１１４が設けられる。
【００４９】
直流供給線路Ｗｄｃは、直流電力の給電路であるとともに通信路としても兼用されており、高周波の搬送波を用いてデータを伝送する通信信号を直流電圧に重畳することにより直流供給線路Ｗｄｃに接続された機器間での通信を可能にしている。この技術は、交流電力を供給する電力線において交流電圧に通信信号を重畳させる電力線搬送技術と類似した技術である。
【００５０】
直流供給線路Ｗｄｃは、直流電力供給部１０１を介して宅内サーバ１１６に接続される。宅内サーバ１１６は、宅内の通信網（以下、「宅内網」という）を構築する主装置であり、宅内網において直流機器１０２が構築するサブシステムなどと通信を行う。
【００５１】
図示例では、サブシステムとして、パーソナルコンピュータ、無線アクセスポイント、ルータ、ＩＰ電話機のような情報系の直流機器１０２からなる情報機器システムＫ１０１、照明器具のような照明系の直流機器１０２からなる照明システムＫ１０２，Ｋ１０５、来客対応や侵入者の監視などを行う直流機器１０２からなるインターホンシステムＫ１０３、火災感知器のような警報系の直流機器１０２からなる住警器システムＫ１０４などがある。各サブシステムは、自立分散システムを構成しており、サブシステム単独でも動作が可能になっている。
【００５２】
上述した直流ブレーカ１１４は、サブシステムに関連付けて設けられており、図示例では、情報機器システムＫ１０１、照明システムＫ１０２およびインターホンシステムＫ１０３、住警器システムＫ１０４、照明システムＫ１０５に関連付けて４個の直流ブレーカ１１４を設けている。１台の直流ブレーカ１１４に複数個のサブシステムを関連付ける場合には、サブシステムごとに直流供給線路Ｗｄｃの系統を分割する接続ボックス１２１が設けられる。図示例においては、照明システムＫ１０２とインターホンシステムＫ１０３との間に接続ボックス１２１が設けられている。
【００５３】
情報機器システムＫ１０１としては、壁コンセントあるいは床コンセントの形態で家屋Ｈに先行配置（家屋Ｈの建築時に施工）される直流コンセント１３１に接続される直流機器１０２からなる情報機器システムＫ１０１が設けられる。
【００５４】
照明システムＫ１０２、Ｋ１０５としては、家屋Ｈに先行配置される照明器具（直流機器１０２）からなる照明システムＫ１０２と、天井に先行配置される引掛シーリング１に接続する照明器具（直流機器１０２）からなる照明システムＫ１０５とが設けられる。引掛シーリング１には、家屋Ｈの内装施工時に施工業者が照明器具を取り付けるか、または家人自身が照明器具を取り付ける。
【００５５】
照明システムＫ１０２を構成する直流機器１０２である照明器具に対する制御の指示は、赤外線リモコン装置を用いて与えるほか、直流供給線路Ｗｄｃに接続されたスイッチ１４１から通信信号を用いて与えることができる。すなわち、スイッチ１４１は直流機器１０２とともに通信の機能を有している。また、スイッチ１４１の操作によらず、宅内網の別の直流機器１０２あるいは宅内サーバ１１６から通信信号により制御の指示がなされることもある。照明器具への指示には、点灯、消灯、調光、点滅点灯などがある。
【００５６】
上述した直流コンセント１３１、引掛シーリング１には、任意の直流機器１０２を接続することができ、接続された直流機器１０２に直流電力を出力するから、以下では直流コンセント１３１、引掛シーリング１を区別する必要がない場合には「直流アウトレット」と呼ぶ。
【００５７】
これらの直流アウトレットは、直流機器１０２に直接設けた接触子（図示せず）または接続線を介して設けた接触子（図示せず）が差し込まれる差込式の接続口が器体に開口し、接続口に差し込まれた接触子に直接接触する接触子受けが器体に保持された構造を有している。すなわち、直流アウトレットは接触式で給電を行う。直流アウトレットに接続された直流機器１０２が通信機能を有する場合には、直流供給線路Ｗｄｃを通して通信信号を伝送することが可能になる。直流機器１０２だけではなく直流アウトレットにも通信機能が設けられている。
【００５８】
宅内サーバ１１６は、宅内網に接続されるだけではなく、インターネットを構築する広域網ＮＴに接続される接続口を有している。宅内サーバ１１６が広域網ＮＴに接続されている場合には、広域網ＮＴに接続されたコンピュータサーバであるセンタサーバ２００によるサービスを享受することができる。
【００５９】
センタサーバ２００が提供するサービスには、広域網ＮＴを通して宅内網に接続された機器（主として直流機器１０２であるが通信機能を有した他の機器も含む）の監視や制御を可能にするサービスがある。このサービスにより、パーソナルコンピュータ、インターネットＴＶ、移動体電話機などのブラウザ機能を備える通信端末（図示せず）を用いて宅内網に接続された機器の監視や制御が可能になる。
【００６０】
宅内サーバ１１６は、広域網ＮＴに接続されたセンタサーバ２００との間の通信と、宅内網に接続された機器との間の通信との両方の機能を備え、宅内網の機器に関する識別情報（ここでは、ＩＰアドレスを用いるものとする）の取得の機能を備える。
【００６１】
宅内サーバ１１６は、センタサーバ２００との通信機能を用いることにより、広域網ＮＴに接続された通信端末からセンタサーバ２００を通して宅内の機器の監視や制御を可能にする。センタサーバ２００は、宅内の機器と広域網ＮＴ上の通信端末とを仲介する。
【００６２】
通信端末から宅内の機器の監視や制御を行う場合は、監視や制御の要求をセンタサーバ２００に記憶させ、宅内の機器は定期的に片方向のポーリング通信を行うことにより、通信端末からの監視や制御の要求を受信する。この動作により、通信端末から宅内の機器の監視や制御が可能になる。
【００６３】
また、宅内の機器において火災検知など通信端末に通知すべきイベントが生じたときには、宅内の機器からセンタサーバ２００に通知し、センタサーバ２００から通信端末に対して電子メールによる通知を行う。
【００６４】
宅内サーバ１１６における宅内網との通信機能のうち重要な機能は、宅内網を構成する機器の検出と管理である。宅内サーバ１１６では、ＵＰｎＰ（Universal Plug and Play）を応用して宅内網に接続された機器を自動的に検出する。宅内サーバ１１６はブラウザ機能を有する表示器１１７を備え、検出した機器の一覧を表示器１１７に表示する。この表示器１１７はタッチパネル式もしくは操作部が付設された構成を有し、表示器１１７の画面に表示された選択肢から所望の内容を選択する操作が可能になっている。したがって、宅内サーバ１１６の利用者（施工業者あるいは家人）は、表示器１１７の画面上で機器の監視ないし制御が可能になる。表示器１１７は宅内サーバ１１６とは分離して設けてもよい。
【００６５】
宅内サーバ１１６では、機器の接続に関する情報を管理しており、宅内網に接続された機器の種類や機能とアドレスとを把握する。したがって、宅内網の機器を連動動作させることができる。機器の接続に関する情報は上述のように自動的に検出されるが、機器を連動動作させるには、機器自身が保有する属性により自動的に関係付けを行うほか、宅内サーバ１１６にパーソナルコンピュータのような情報端末を接続し、情報端末のブラウザ機能を利用して機器の関係付けを行うこともできる。
【００６６】
機器の連動動作の関係は各機器がそれぞれ保持する。したがって、機器は宅内サーバ１１６を通すことなく連動動作することができる。各機器について、連動動作の関係付けを行うことにより、たとえば、機器であるスイッチの操作により、機器である照明器具の点灯あるいは消灯の動作を行うことが可能になる。また、連動動作の関係付けはサブシステム内で行うことが多いが、サブシステムを超える関係付けも可能である。
【００６７】
ところで、直流電力供給部１０１は、基本的には、商用電源のように宅外から供給される交流電源ＡＣの電力変換により直流電力を生成する。図示する構成では、交流電源ＡＣは、分電盤１１０に内器として取り付けられた主幹ブレーカ１１１を通して、スイッチング電源を含むＡＣ／ＤＣコンバータ１１２に入力される。ＡＣ／ＤＣコンバータ１１２から出力される直流電力は、協調制御部１１３を通して各直流ブレーカ１１４に接続される。
【００６８】
直流電力供給部１０１には、交流電源ＡＣから電力が供給されない期間（たとえば、商用電源ＡＣの停電期間）に備えて二次電池１６２が設けられている。また、直流電力を生成する太陽電池１６１や燃料電池１６３を併用することも可能になっている。交流電源ＡＣから直流電力を生成するＡＣ／ＤＣコンバータ１１２を備える主電源に対して、太陽電池１６１や二次電池１６２や燃料電池１６３は分散電源になる。なお、図示例において、太陽電池１６１、二次電池１６２、燃料電池１６３は出力電圧を制御する回路部を含み、二次電池１６２は放電だけではなく充電を制御する回路部も含んでいる。
【００６９】
分散電源のうち太陽電池１６１や燃料電池１６３は必ずしも設けなくてもよいが、二次電池１６２は設けるのが望ましい。二次電池１６２は主電源や他の分散電源により適時充電され、二次電池１６２の放電は、交流電源ＡＣから電力が供給されない期間だけではなく必要に応じて適時に行われる。二次電池１６２の充放電や主電源と分散電源との協調は、協調制御部１１３により行われる。すなわち、協調制御部１１３は、直流電力供給部１０１を構成する主電源および分散電源から直流機器１０２への電力の配分を制御する直流電力制御部として機能する。なお、太陽電池１６１、二次電池１６２、燃料電池１６３の出力を交流電力に変換し、ＡＣ／ＤＣコンバータ１１２の入力電力として用いる構成を採用してもよい。
【００７０】
直流機器１０２の駆動電圧は機器に応じた複数種類の電圧から選択されるから、協調制御部１１３にＤＣ／ＤＣコンバータを設け、主電源および分散電源から得られる直流電圧を必要な電圧に変換するのが望ましい。通常は、１系統のサブシステム（もしくは１台の直流ブレーカ１１４に接続された直流機器１０２）に対して１種類の電圧が供給されるが、１系統のサブシステムに対して３線以上を用いて複数種類の電圧を供給するように構成してもよい。あるいはまた、直流供給線路Ｗｄｃを２線式とし、線間に印加する電圧を時間経過に伴って変化させる構成を採用することも可能である。ＤＣ／ＤＣコンバータは、直流ブレーカと同様に複数に分散して設けてもよい。
【００７１】
上述の構成例では、ＡＣ／ＤＣコンバータ１１２を１個だけ図示しているが、複数個のＡＣ／ＤＣコンバータ１１２を並設することが可能であり、複数個のＡＣ／ＤＣコンバータ１１２を設けるときには、負荷の大きさに応じて運転するＡＣ／ＤＣコンバータ１１２の台数を増減させるのが望ましい。
【００７２】
上述したＡＣ／ＤＣコンバータ１１２、協調制御部１１３、直流ブレーカ１１４、太陽電池１６１、二次電池１６２、燃料電池１６３には通信機能が設けられており、主電源および分散電源や直流機器１０２を含む負荷の状態に対処する連携動作を行うことを可能にしている。この通信に用いる通信信号は、直流機器１０２に用いる通信信号と同様に直流電圧に重畳する形式で伝送する。
【００７３】
上述の例では主幹ブレーカ１１１から出力された交流電力をＡＣ／ＤＣコンバータ１１２により直流電力に変換するために、ＡＣ／ＤＣコンバータ１１２を分電盤１１０内に配置しているが、主幹ブレーカ１１１の出力側において分電盤１１０内に設けた分岐ブレーカ（図示せず）で交流供給線路を複数系統に分岐し、各系統の交流供給線路にＡＣ／ＤＣコンバータを設けて系統ごとに直流電力に変換する構成を採用してもよい。
【００７４】
この場合、家屋Ｈの各階や各部屋を単位として直流電力供給部１０１を設けることができるから、直流電力供給部１０１を系統別に管理することができ、しかも、直流電力を利用する直流機器１０２との間の直流供給線路Ｗｄｃの距離が小さくなるから、直流供給線路Ｗｄｃでの電圧降下による電力損失を低減させることができる。また、主幹ブレーカ１１１および分岐ブレーカを分電盤１１０に収納し、ＡＣ／ＤＣコンバータ１１２と協調制御部１１３と直流ブレーカ１１４と宅内サーバ１１６とを分電盤１１０とは別の盤に収納してもよい。
【図面の簡単な説明】
【００７５】
【図１】（ａ）は実施形態１の引掛シーリングを用いた制御システムの概略的なシステム構成図、（ｂ）は同上の引掛シーリングおよび直流スイッチの概略的なブロック図である。
【図２】同上の露出型の一形態を示す分解斜視図である。
【図３】同上の露出型の一形態を示す外観斜視図である。
【図４】同上の埋込型の一例を示す外観斜視図である。
【図５】（ａ）は実施形態２の引掛シーリングを用いた制御システムの概略的なシステム構成図、（ｂ）は同上の引掛シーリングおよび直流スイッチの概略的なブロック図である。
【図６】（ａ）は同上の露出型の一形態を示す外観斜視図、（ｂ）は同上の埋込型の一形態を示す外観斜視図、（ｃ）は同上に用いるアドレス設定部の説明図である。
【図７】実施形態３の引掛シーリングおよびアドレス設定器の概略的なブロック図である。
【図８】同上にアドレスを設定する作業を説明する説明図である。
【図９】同上のアドレス設定に用いるアドレス設定器を示し、（ａ）は外観図、（ｂ）は設定画面の例図である。
【図１０】同上の埋込型の一形態を示す外観斜視図である。
【図１１】各実施形態の引掛シーリングを用いる直流配電システムのシステム構成図である。
【符号の説明】
【００７６】
１  引掛シーリング
２ａ，２ｂ  端子部
３  引掛接続部
４  スイッチ
５  ＤＬＣ通信部
６  給電制御部
２２  引掛栓刃受部
１０２  直流機器
Ｗｄｃ  直流供給線路（直流電源の給電線）
【図１】
2009158298.tif 000003
【図２】
2009158298.tif 000004
【図３】
2009158298.tif 000005
【図４】
2009158298.tif 000006
【図５】
2009158298.tif 000007
【図６】
2009158298.tif 000008
【図７】
2009158298.tif 000009
【図８】
2009158298.tif 000010
【図９】
2009158298.tif 000011
【図１０】
2009158298.tif 000012
【図１１】
2009158298.tif 000013